(57)【要約】【課題】原稿を圧接するためのシート状部材を備え、このシート状部材が取り付けられた箇所を簡素な構成で開放して原稿搬送経路を露出可能な自動原稿送り装置（ＡＤＦ）を提供する。【解決手段】ＡＤＦは、開閉軸８２と、開閉ガイド８１と、原稿搬送経路４０と、シート貼付板８５と、プラテンシート５１と、を備える。開閉ガイド８１は、開閉軸８２に近づく方向及び離れる方向にスライド可能なスライド部材８３を有するとともに、開閉軸８２を中心として回動することにより開閉可能である。原稿搬送経路４０は、原稿を搬送するための経路であって、開閉ガイド８１を開放させたときに露出する。シート貼付板８５は、シート固定面８５５を有する。プラテンシート５１は、可撓性を有しており、シート固定面８５５の開閉軸８２近傍及びスライド部材８３が有する取付面８３５に貼り付けられる。【選択図】図８
2011225327.tif 000002
【特許請求の範囲】
【請求項１】
開閉軸と、
前記開閉軸に近づく方向及び離れる方向にスライド可能なスライド部材を有するとともに、前記開閉軸を中心として回転することにより開閉可能な開閉部と、
原稿を搬送するための経路であって、前記開閉部を開放させたときに露出する原稿搬送経路と、
固定面を有する固定部と、
可撓性を有しており、前記固定面の開閉軸近傍及び前記スライド部材が有するスライド面に貼り付けられるシート状部材と、
を備えることを特徴とする自動原稿送り装置。
【請求項２】
請求項１に記載の自動原稿送り装置であって、
前記開閉部及び前記スライド部材のうち一方は、規制ピンを備え、
前記開閉部及び前記スライド部材のうち他方には、規制孔が形成され、
前記規制ピンが前記規制孔に挿し込まれることにより、前記スライド部材のスライド範囲が規制されることを特徴とする自動原稿送り装置。
【請求項３】
請求項１又は２に記載の自動原稿送り装置であって、
前記開閉軸の軸方向で見たときに、前記開閉軸から前記シート状部材に下ろした仮想垂線は、前記スライド部材の固定部側の端部よりも、固定部側であることを特徴とする自動原稿送り装置。
【請求項４】
請求項１から３までの何れか一項に記載の自動原稿送り装置であって、
前記原稿搬送経路を搬送される原稿を外部に排出可能な排出ローラを備え、
前記開閉軸の回転軸線と、前記排出ローラの回転軸線と、が同一であることを特徴とする自動原稿送り装置。
【請求項５】
請求項１から４までの何れか一項に記載の自動原稿送り装置を備えることを特徴とする原稿読取装置。
【発明の詳細な説明】
【技術分野】
【０００１】
本発明は、自動原稿送り装置、及び、当該自動送り搬送装置で原稿を搬送しながら画像情報の読取りを行う原稿読取装置に関する。
【背景技術】
【０００２】
従来から、自動原稿送り装置（オートドキュメントフィーダ、ＡＤＦ）とフラットベッドが一体となっている原稿読取装置が知られている。この原稿読取装置においては、フラットベッドカバーとしての原稿台カバーに自動原稿送り装置が配置されることが一般的な構成となっている。
【０００３】
この種の原稿読取装置においては、原稿をプラテンガラスに圧接するためのプラテンシートを、自動原稿送り装置の下部及び原稿台カバーの下面に取り付ける必要がある。しかし、自動原稿送り装置の下部は、原稿詰まり（ジャム）が発生したときに、ジャム原稿（詰まった原稿）を取り除くために開放させる必要がある。この点、特許文献１及び２は、自動原稿送り装置の下部を開放可能にしつつプラテンシートを取り付ける構成を開示する。
【０００４】
特許文献１の構成は、下カバー（原稿台カバーの下端に配置された部材）に対してスライド可能なスライドレールを備えている。このスライドレールにはプラテンシートが取り付けられており、プラテンシートを下カバーに沿ってスライドさせることができるようになっている。特許文献２の構成は、自動原稿送り装置を開放したときに、自動原稿送り装置と原稿台カバーとの間でプラテンシートが撓むように構成されている。
【０００５】
上記の特許文献１及び２の構成によれば、自動原稿送り装置の下部を開放させたときにプラテンシートに無理な力が掛かることを防止できると考えられる。
【先行技術文献】
【特許文献】
【０００６】
【特許文献１】特開２００２−２７８１７４号公報
【特許文献２】特許第３６４０９５５号公報
【発明の概要】
【発明が解決しようとする課題】
【０００７】
しかし、特許文献１の構成は、原稿台カバーに沿った長いスライドレールを備える必要があり、構成が複雑になるとともに高コストになってしまう。
【０００８】
また、特許文献２の構成は、プラテンシートが撓むことにより、原稿を搬送するための経路だけでなく駆動機構等が露出することがある。この場合、駆動機構等に埃等が入ってしまい、自動原稿送り装置に悪影響を与えるおそれがある。また、プラテンシートが撓むことでユーザに不安感を与えることがある。
【０００９】
本発明は以上の事情に鑑みてされたものであり、その主要な目的は、原稿を圧接するためのシート状部材を備え、このシート状部材が取り付けられた箇所を簡素な構成で開放して原稿搬送経路を露出可能な自動原稿送り装置を提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、以下の構成の自動原稿送り装置が提供される。即ち、この自動原稿送り装置は、開閉軸と、開閉部と、原稿搬送経路と、固定部と、シート状部材と、を備える。前記開閉部は、前記開閉軸に近づく方向及び離れる方向にスライド可能なスライド部材を有するとともに、前記開閉軸を中心として回転することにより開閉可能である。前記原稿搬送経路は、原稿を搬送するための経路であって、前記開閉部を開放させたときに露出する。前記固定部は、固定面を有する。前記シート状部材は、可撓性を有しており、前記固定面の開閉軸近傍及び前記スライド部材が有するスライド面に貼り付けられる。
【００１２】
これにより、ジャム（原稿詰まり）等を解消するために開閉部を開放させた場合において、シート状部材がスライド部材とともにスライドするため、シート状部材（特に、開閉軸の付近）に無理な力が掛かることをコンパクトな構成を用いて防止できる。また、前記開閉部を開放させたときに、シート状部材が開閉部及び固定部に沿った状態を維持しながら撓むため、シート状部材の内側に駆動機構等が配置されている場合は、この駆動機構等に埃等が混入することを防止できる。
【００１３】
前記の自動原稿送り装置においては、以下の構成とすることが好ましい。即ち、前記開閉部及び前記スライド部材のうち一方は、規制ピンを備える。また、前記開閉部及び前記スライド部材のうち他方には、規制孔が形成される。そして、前記規制ピンが前記規制孔に挿し込まれることにより、前記スライド部材のスライド範囲が規制される。
【００１４】
これにより、スライド部材が無理にスライドすることを防止できるので、スライド部材及びシート状部材に無理な力が掛かることを防止できる。従って、スライド部材及びシート状部材が破損することを防止できる。
【００１５】
前記の自動原稿送り装置においては、前記開閉軸の軸方向で見たときに、前記開閉軸から前記シート状部材に下ろした仮想垂線は、前記スライド部材の固定部側の端部よりも、固定部側であることが好ましい。
【００１６】
これにより、開閉部の開閉によって、スライド部材と固定部との間のシート状部材が局所的に大きく変形することを防止できる。従って、シート状部材が破損することを防止できる。
【００１７】
前記の自動原稿送り装置においては、以下の構成とすることが好ましい。即ち、この自動原稿送り装置は、前記原稿搬送経路を搬送される原稿を外部に排出可能な排出ローラを備える。前記開閉軸の回転軸線と、前記排出ローラの回転軸線と、が同一である。
【００１８】
これにより、開閉部と排出ローラの回転軸を共通にできるため、部品点数を減らして自動原稿送り装置を低コストにすることができる。
【００１９】
本発明の第２の観点によれば、前記の自動原稿送り装置を備える原稿読取装置が提供される。
【００２０】
これにより、ジャム等を解消するために開閉部を開放させた場合においても、シート状部材に無理な力が掛かることを防止可能な原稿読取装置が実現できる。
【図面の簡単な説明】
【００２１】
【図１】本発明の一実施形態に係る複合機の外観斜視図。
【図２】イメージスキャナ装置の構成を示す正面断面図。
【図３】導入経路及び片面用排出経路を説明する模式図。
【図４】第１反転経路を説明する模式図。
【図５】第２反転経路を説明する模式図。
【図６】両面用排出経路を説明する模式図。
【図７】開閉ガイドが閉じているときの開閉ガイド近傍の構成を示す正面図。
【図８】開閉ガイドが開放しているときの開閉ガイド近傍の構成を示す正面図。
【発明を実施するための形態】
【００２２】
次に、図面を参照して本発明の実施の形態を説明する。図１は本発明の一実施形態に係る複合機１の外観斜視図である。
【００２３】
複合機１は、コピー機能及びファクシミリ機能を備えており、ブックスキャナ及びオートドキュメントフィードスキャナとして機能するイメージスキャナ装置（原稿読取装置）１１を、当該複合機１の上部に備えている。また、複合機１は、コピー部数、ファクシミリ送信先及び原稿読取等を指示するための操作パネル１２を備える。
【００２４】
更に、複合機１は、記録媒体としての用紙に画像を形成する画像形成部等を内蔵した複合機本体１３と、前記用紙を順次供給する給紙カセット１４と、を備えている。なお、複合機本体１３は、通信回線を介して画像情報を伝送するための図略の送受信部等を備える。
【００２５】
次に、図２を参照して、複合機１が備えるイメージスキャナ装置１１について説明する。図２は、イメージスキャナ装置１１の構成を示す正面断面図である。なお、本実施形態における正面図は、搬送される原稿の幅方向で見た図と表現することもできる。
【００２６】
図２に示すように、イメージスキャナ装置１１は、原稿台カバー２１と、プラテンガラス２２と、コンタクトガラス２３と、を備えている。この原稿台カバー２１には自動原稿送り装置（オートドキュメントフィーダ、ＡＤＦ）２４が備えられている。また、イメージスキャナ装置１１は、プラテンガラス２２及びコンタクトガラス２３の下方に、原稿１００の画像情報を読み取るためのスキャナユニット２５を備えている。
【００２７】
スキャナユニット２５は、原稿台の内部で左右方向に移動可能なキャリッジ１１０を備えている。このキャリッジ１１０には、光源１１１と、複数の反射ミラー１１２と、集光レンズ１１３と、電荷結合素子（ＣＣＤ）１１４と、が配置されている。光源１１１は読取原稿に対して光を照射し、読取原稿からの反射光は、複数の反射ミラー１１２で反射した後、集光レンズ１１３を通過して収束してＣＣＤ１１４の表面に結像する。そして、ＣＣＤ１１４は、入射された収束光を電気信号に変換して出力する。
【００２８】
また、前記原稿台カバー２１が備えるＡＤＦ２４は、図２に示すように、当該原稿台カバー２１の上部に設けられた給紙トレイ５２と、この給紙トレイ５２の下方に設けられた排紙トレイ５３と、を備える。また、ＡＤＦ２４の内部には、給紙トレイ５２と排紙トレイ５３とを繋ぐ原稿搬送経路４０が構成されている。
【００２９】
ユーザが図１に示す操作パネル１２を操作して、イメージスキャナ装置１１をオートドキュメントフィードスキャナとして使用するように指示すると、給紙トレイ５２に重ねてセットされた原稿１００が、原稿搬送経路４０に沿って１枚ずつ搬送される。そして、原稿搬送経路４０に沿って搬送される原稿１００がコンタクトガラス２３のガラス面（読取位置）を通過するときに、この原稿１００の画像情報がスキャナユニット２５によって読み取られる。その後、原稿１００は、原稿搬送経路４０に沿って搬送されて、排紙トレイ５３へ排出される。
【００３０】
一方、イメージスキャナ装置１１をブックスキャナとして使用する場合は、読み取るべきブック原稿をユーザがプラテンガラス２２上に載置する。そして、ＡＤＦ２４の下部に配置されたプラテンシート（シート状部材）５１によって、ブック原稿を上側から押圧して、動かないように固定する。この状態で、左右方向に移動しながらスキャナユニット２５が読取りを行うことで、ブック原稿の画像情報が読み取られる。
【００３１】
次に、ＡＤＦ２４の内部の構成を詳細に説明する。なお、以下の説明において、正面視でみたときに給紙トレイ５２がある側を単に「右側」と称し、正面視におけるその反対側を単に「左側」と称することがある。
【００３２】
本実施形態のＡＤＦ２４は、原稿１００の片面（第１面）のみを読み取るときと、原稿１００の両面（第１面及び第２面）を読み取るときと、で原稿１００の搬送される経路が異なるように構成されている。初めに、原稿１００の片面のみを読み取るときの経路と、その経路に配置される部材について、図２及び図３を参照して説明する。図３は、導入経路４１及び片面用排出経路４３を説明する模式図である。
【００３３】
原稿１００の片面のみを読み取るときは、図３に示すように、原稿１００を読取位置まで案内するための導入経路４１と、原稿１００を読取位置から排紙トレイ５３まで案内するための片面用排出経路４３と、に沿って原稿１００が搬送される。
【００３４】
導入経路４１には、上流側から順に、ピックアップローラ３０と、分離ローラ３１と、レジストローラ３２と、三連ローラ３３と、搬送ローラ３４と、が配置されている。以下に、上流側から下流側の順で、導入経路４１の経路上に配置される各部の構成について説明する。
【００３５】
導入経路４１の上流側の端部近傍には、ピックアップローラ３０及び分離ローラ３１が配置されている。ピックアップローラ３０は、分離ローラ３１の回転軸を中心にして回動可能に構成されており、ＡＤＦ２４の非動作時においては、図２における上側にピックアップローラ３０が保持されている。一方、原稿１００を繰り込む際はピックアップローラ３０が下方に回動し、給紙トレイ５２に重ねてセットされている原稿１００のうち、最上層にある原稿１００の端部に接触する。この状態でピックアップローラ３０が回転することによって、給紙トレイ５２上の最上層の原稿１００が分離ローラ３１へ搬送される。
【００３６】
ピックアップローラ３０の駆動によって分離ローラ３１へ送られた原稿１００は、回転駆動する分離ローラ３１によって１枚ずつ分離された後に、下流側に配置されたレジストローラ３２へ搬送される。
【００３７】
レジストローラ３２は、対向するローラとともに、搬送されてくる原稿１００の先端部を一時的に止めて弛ませ、所定時間後に弛みを除去しつつ下流側に搬送する。これにより、原稿１００の斜行が矯正される。レジストローラ３２を通過した原稿１００は、下流側に配置された三連ローラ３３へ搬送される。
【００３８】
なお、分離ローラ３１から三連ローラ３３のやや上流側までの導入経路４１は、直線状の経路となっている。
【００３９】
三連ローラ３３は、中央に配置される駆動ローラ３３１と、この駆動ローラ３３１を挟み込むように上下に配置される従動ローラ３３２，３３３と、で構成されている。導入経路４１に沿って搬送される原稿１００は、駆動ローラ３３１とその上方に配置される従動ローラ３３２との間を通過して左斜め下側へ搬送される。三連ローラ３３を通過した原稿１００は、下流側に配置された搬送ローラ３４へ搬送される。なお、駆動ローラ３３１の下方に配置される従動ローラ３３３は、従動ローラ３３２と回転方向が逆となっており、駆動ローラ３３１と従動ローラ３３３との間を通過する原稿１００を右側へ搬送することができる。
【００４０】
搬送ローラ３４は、対向するローラとともに原稿１００をニップして回転することで、この原稿１００を右斜め下側（読取位置側）へ搬送する。そして、原稿１００が前記読取位置を通過するときに、スキャナユニット２５によって第１面の画像情報が読み取られる。なお、この搬送ローラ３４は回転方向を切替可能に構成されており、逆方向に回転することで、原稿１００を左斜め上側（三連ローラ３３側）へ搬送することができる。
【００４１】
なお、三連ローラ３３のやや上流側から読取位置までの導入経路４１は、左側に膨らんだ（左側に凸となるように湾曲した）経路（図３に示す導入湾曲経路４１１）となっている。
【００４２】
次に、片面用排出経路４３について説明する。片面用排出経路４３には、上流側から順に、三連ローラ３５と、搬送ローラ３６と、共通ローラ（排出ローラ）３８及び対向ローラ３９と、が配置されている。以下に、上流側から下流側の順で、片面用排出経路４３の経路上に配置される各部の構成について説明する。
【００４３】
読取位置のやや下流側には上下に分岐する箇所があり、この分岐箇所の近傍には三連ローラ３５が配置されている。この三連ローラ３５は、中央に配置されるレジストローラ３５１と、レジストローラ３５１を挟み込むように上下に配置される従動ローラ３５２，３５３と、で構成されている。スキャナユニット２５によって画像情報が読み取られた原稿１００は、レジストローラ３５１とその上方に配置される従動ローラ３５２との間を通過して右斜め上側へ搬送される。この三連ローラ３５を通過した原稿１００は、下流側に配置された搬送ローラ３６によって、この搬送ローラ３６の右斜め下側に位置する共通ローラ３８へ搬送される。なお、このレジストローラ３５１は、前記レジストローラ３２と同等の構成となっており、レジストローラ３５１とその下方に配置される従動ローラ３５３との間を左斜め下側へ搬送される原稿１００の斜行を矯正することができる。
【００４４】
共通ローラ３８は、対向するように配置された対向ローラ３９とともに原稿１００をニップして回転することで、この原稿１００を右側へ搬送して、排紙トレイ５３に排出する。以上のようにして、給紙トレイ５２にセットされた原稿１００の片面のみの画像情報が読み取られる。なお、この共通ローラ３８は回転方向を切替可能に構成されており、原稿１００の排出を行うときと逆方向に回転することで、原稿１００を左側（読取位置側）へ搬送することができる。
【００４５】
次に、原稿１００の両面を読み取るときの経路について、図２、及び図４から図６までを参照して説明する。図４は、第１反転経路４５を説明する模式図である。図５は、第２反転経路４６を説明する模式図である。図６は、両面用排出経路４７を説明する模式図である。
【００４６】
原稿１００の両面を読み取るときにおいても、原稿１００の片面のみを読み取るときと同様に、給紙トレイ５２にセットされた原稿が前記導入経路４１に沿って読取位置まで搬送される。そして、原稿１００の第１面の画像情報がスキャナユニット２５によって読み取られる。また、本実施形態のＡＤＦ２４は、原稿１００の搬送方向の長さ（原稿長さ）を検出可能に構成されており、検出された原稿長さに基づいて図略の経路ガイド等を操作することで、導入経路４１の次に原稿１００が搬送される経路を切替可能に構成されている。
【００４７】
初めに、原稿長さが短い場合に原稿１００が搬送される経路について説明する。この場合の原稿１００は、導入経路４１に沿って読取位置まで搬送された後に、図４に示す第１反転経路４５に沿って搬送されるように構成されている。この第１反転経路４５は、上流側から順に、第１反転前経路４５１と、第１反転中経路４５２と、第１反転後経路４５３と、から構成されている。
【００４８】
第１反転前経路４５１には、上流側から順に、三連ローラ３５と搬送ローラ３６とが配置されている。第１反転前経路４５１に沿って搬送される原稿１００は、片面用排出経路４３と同様に、レジストローラ３５１とその上方に配置される従動ローラ３５２との間を通過して右斜め上側へ搬送される。そして、原稿１００は、搬送ローラ３６によって、右方向へ搬送されて第１反転中経路４５２へ搬送される。
【００４９】
第１反転中経路４５２は、途中までは片面用排出経路４３と同様に、右斜め下方へ原稿１００を案内する。しかし、その途中の分岐箇所から後は、原稿１００が左斜め下方へ搬送されるように案内する。この第１反転中経路４５２は、右側に膨らんだ（右側に凸となるように湾曲した）経路となっている。この第１反転中経路４５２に沿って搬送されることで、原稿１００の裏表が反転する。つまり、第１反転中経路４５２に沿って搬送される前までは下側（スキャナユニット２５側）を向いていた第１面が、第１反転中経路４５２に沿って搬送された後は、上側を向くようになる。そして、第１反転中経路４５２に沿って搬送された原稿１００は、第１反転後経路４５３へ搬送される。
【００５０】
第１反転後経路４５３には、上流側から順に、搬送ローラ３７と三連ローラ３５とが配置される。第１反転後経路４５３に沿って搬送される原稿１００は、搬送ローラ３７によって左側へ搬送されて、三連ローラ３５のレジストローラ３５１によって斜行が矯正された後に、読取位置を通過する。このようにして、原稿長さが短い場合の原稿１００を反転させている。
【００５１】
次に、原稿長さが長い場合の原稿１００を反転させる経路について説明する。ここで、原稿長さが長い場合とは、原稿長さが第１反転経路４５の長さと同等か、原稿長さの方が長い場合を意味する。仮に、原稿長さが長い原稿１００を第１反転経路４５に沿って搬送した場合、原稿１００の後端部が読取位置にまだ残っている状態で反転後の原稿１００の先端部が読取位置を通過しようとするため、原稿１００が重なってしまい、紙詰まりを起こしてしまう。そのため、図５に示すように、原稿長さが長い場合における原稿１００が通過する第２反転経路４６は、第１反転経路４５よりも長く構成されている。
【００５２】
第２反転経路４６は、第２反転前経路４６１と、第２反転中経路４６２と、第２反転後経路４６３と、から構成される。第２反転前経路４６１は、第１反転前経路４５１よりも更に右側へ延びている。第２反転中経路４６２は、第１反転中経路４５２と同様に、右側に膨らんだ（右側に凸となるように湾曲した）経路を有している。第２反転後経路４６３は、第１反転後経路４５３よりも更に右側へ延びている。
【００５３】
なお、第２反転後経路４６３が原稿１００を左側へ搬送するときに共通ローラ３８を経由するが、前述のように共通ローラ３８は回転方向を切替可能であるため、共通ローラ３８を左側へ搬送することができる。このように共通ローラ３８は、排出ローラとしての機能と搬送ローラとしての機能とを備えている。このようにして、原稿長さが長い場合の原稿１００を反転させている。
【００５４】
そして、第１反転経路４５又は第２反転経路４６によって反転され、第２面の画像情報が読み取られた原稿１００は、図６に示す両面用排出経路４７へ搬送される。
【００５５】
両面用排出経路４７に沿って搬送される原稿１００は、読取位置を左側へ通過した後に、搬送ローラ３４によって左斜め上側へ搬送される。そして、原稿１００は、駆動ローラ３３１とその下方に配置される従動ローラ３３３との間を通過して右方向へ搬送される。
【００５６】
なお、読取位置から三連ローラ３３までの両面用排出経路４７は、左側に膨らんだ（左側に凸となるように湾曲した）経路（図６に示す排出湾曲経路４７１）となっている。なお、導入湾曲経路４１１に沿って搬送される原稿１００と、排出湾曲経路４７１に沿って搬送される原稿１００とでは、原稿１００の搬送方向が互いに逆方向となっている。この点、本実施形態の搬送ローラ３４は回転方向を切替可能であり、更に、従動ローラ３３２と従動ローラ３３３の回転方向が互いに逆方向となるため、上記の双方向搬送に対応している。
【００５７】
そして、両面用排出経路４７に沿って搬送され、三連ローラ３３を通過した原稿１００は、右方向に搬送され、搬送ローラ３６を経由した後に、右斜め下方へ搬送される。そして、片面用排出経路４３に沿って搬送される原稿１００と同様に、共通ローラ３８及び対向ローラ３９によって、排紙トレイ５３に排出される。なお、搬送ローラ３６のやや下流の分岐箇所から共通ローラ３８のやや上流の分岐箇所までの両面用排出経路４７は、第２反転前経路４６１と第２反転後経路４６３とを接続している（図６に示す接続経路４７２）。以上のように、給紙トレイ５２にセットされた原稿１００の両面の画像情報が読み取られる。
【００５８】
次に、ＡＤＦ２４に原稿詰まりが発生したときのジャム原稿を容易に取り除くための構成について、図７及び図８を参照して説明する。図７は、開閉ガイド８１が閉じているときの開閉ガイド８１近傍の構成を示す正面図である。図８は、開閉ガイド８１が開放しているときの開閉ガイド８１近傍の構成を示す正面図である。
【００５９】
ＡＤＦ２４で原稿１００を搬送しているときに、何らかの原因で原稿詰まりが発生することがある。この原稿詰まりを解消するためには、当該原稿詰まりの原因となったジャム原稿を取り除く必要がある。
【００６０】
本実施形態のＡＤＦ２４は、このジャム原稿を取り除くためにＡＤＦ２４の下部を開放して（図７及び図８を参照）、原稿搬送経路４０を露出させることができるように構成されている。そして、原稿搬送経路４０からジャム原稿を取り除いてＡＤＦ２４の下部を閉じることで、原稿１００の読取作業を再開することができる。
【００６１】
ここで、ＡＤＦ２４の下部を開放させるときは、原稿台カバー２１の下面に取り付けられたプラテンシート５１の一部も、それに伴って変形するようになっている。そして、本実施形態のＡＤＦ２４は、プラテンシート５１に無理な力を掛けることなくＡＤＦ２４の下部を開放させることができる。以下、このＡＤＦ２４の下部を開放させる構成について説明する。
【００６２】
ＡＤＦ２４の下部には、開閉軸８２を回動中心として回動可能な開閉ガイド（開閉部）８１と、この開閉ガイド８１の回動の前後において位置が変わらないシート貼付板（固定部）８５と、が配置されている。なお、この開閉軸８２の中心線は、共通ローラ３８の回転軸の中心線と一致している。また、図２〜図８に示される正面図は、搬送される原稿１００の幅方向で見た図であると言うことができ、また、開閉軸８２の軸方向で見た図と表現することもできる。
【００６３】
開閉ガイド８１は、その上端面において原稿１００を案内可能であり、原稿搬送経路４０の一部を構成している。そして、開閉ガイド８１が回動してＡＤＦ２４の下部を開放することで、この原稿搬送経路４０を露出させることができる。
【００６４】
開閉ガイド８１は、ガイド本体８６と、スライド部材８３と、規制ピン８１１と、を備えている。ガイド本体８６は開閉軸８２に対して回動可能に取り付けられており、これにより、前述のように開閉ガイド８１全体を回動させることができる。スライド部材８３は、ガイド本体８６の下部に配置されており、前記開閉軸８２と垂直な方向にスライド移動させることができる。
【００６５】
また、スライド部材８３には、当該スライド部材８３の移動の向きを案内する長孔（規制孔）８３２が、図７における左右方向（開閉軸８２と垂直な方向）に形成されている。一方、前記規制ピン８１１は、開閉軸８２と平行な状態でガイド本体８６に固定されている。そして、この規制ピン８１１が前記長孔８３１に差し込まれることにより、スライド部材８３がガイド本体８６に対してスライド可能に取り付けられる。
【００６６】
スライド部材８３の下面には平坦な取付面（スライド面）８３５が形成されており、この取付面８３５に対して、プラテンシート５１が両面テープ等の適宜の手段で固定されている。この取付面８３５は、スライド部材８３がスライド移動するのに伴って、当該スライド部材８３と一体的に移動する。なお、スライド部材８３の取付面８３５以外においては、プラテンシート５１は開閉ガイド８１に対して特に固定されていない。従って、例えばガイド本体８６の自由端側に対面するプラテンシート５１はフリーとなっている（拘束されていない）が、当該プラテンシート５１自体がコシのある素材で構成されているので、プラテンシート５１の端部がめくれたり折れたりすることはない。
【００６７】
シート貼付板８５は、ＡＤＦ２４の下部（排紙トレイ５３の下部であって原稿台カバー２１の下部）に位置しており、その下面には、前記プラテンシート５１を固定するための平坦なシート固定面（固定面）８５５が形成されている。このシート固定面８５５は、開閉ガイド８１が閉じた状態のスライド部材８３の取付面８３５と、同一平面上に位置している（図７を参照）。そして、このシート固定面８５５のうち、図７及び図８において鎖線で囲った貼付位置には両面テープが貼り付けられており、この両面テープによってプラテンシート５１がシート固定面８５５に固定されている。なお、この貼付位置は、シート固定面８５５のうちスライド部材８３に最も近い端部の近傍となっているが、この貼付位置以外においても、プラテンシート５１は適宜の位置でシート貼付板８５に固定される。
【００６８】
以上の構成で、ジャム原稿を取り除くために開閉ガイド８１を開放させるとき、シート貼付板８５及び開閉ガイド８１（ガイド本体８６）は、開閉軸８２を境にして屈曲するような位置関係になる。そして、プラテンシート５１は開閉軸８２よりも下側（屈曲する内側）に配置されているため、開閉ガイド８１の開放動作に伴って、プラテンシート５１における開閉軸８２近傍の部分には圧縮方向の力が加わる。しかしながら、本実施形態では、プラテンシート５１がガイド本体８６ではなくスライド部材８３に固定されているため、図８に示すようにスライド部材８３が開閉軸８２から離れる方向に（ガイド本体８６に対して）スライド移動することで、そのような圧縮方向の力を逃がすことができる。このように、プラテンシート５１とガイド本体８６との位置関係のズレをスライド部材８３の移動によって吸収できるので、開閉軸８２近傍の部分（屈曲の境目）においてプラテンシート５１に過剰な力が作用することを回避でき、プラテンシート５１の塑性変形及び破損等を防止することができる。
【００６９】
また、プラテンシート５１をシート固定面８５５に固定する位置（貼付位置）が開閉軸８２の近傍であるため、開閉ガイド８１を回動させたときにプラテンシート５１がシート固定面８５５から離れない。従って、プラテンシート５１が開閉ガイド８１及びシート貼付板８５の下面に沿った状態を維持することができる。
【００７０】
また、スライド部材８３のスライド移動の範囲は前記長孔８３１の長さ等によって定められるが、図７にはスライド部材８３を開閉軸８２に最も近づくように移動させた状態が示されており、また、図７においては、開閉軸８２の中心からプラテンシート５１に向かって引いた仮想垂線が符号８８で示されている。この図７に示すように、スライド部材８３を開閉軸８２に最も近い位置に移動させたときに、当該スライド部材８３において開閉軸８２に最も近い端部が、仮想垂線８８よりも図面の左側（ガイド本体８６の自由端側）に位置するように、スライド範囲及びスライド部材８３の大きさが設定されている。従って、プラテンシート５１において開閉軸８２に対応する部分がスライド部材８３によって拘束されない状態を常に確保できるので、図８のように開閉ガイド８１を開放させたときに、開閉軸８２の近傍部分を緩やかに無理なく屈曲させることができる。
【００７１】
ユーザは、上記のように開閉ガイド８１を開放してジャム原稿を取り除いた後、開閉ガイド８１を再び閉じる。これによってプラテンシート５１の屈曲が元に戻るが、スライド部材８３はこれと同時に開閉軸８２に近づく向きに移動することで、プラテンシート５１の端部とガイド本体８６との位置関係のズレを吸収する。これにより、開閉ガイド８１を閉じる作業をスムーズに行うことができる。
【００７２】
以上のように、開閉ガイド８１を開閉するのと連動してスライド部材８３を移動させることで、プラテンシート５１が局所的に大きく変形することを防止するとともに、開閉ガイド８１のスムーズな開閉動作を実現することができる。
【００７３】
以上に説明したように、本実施形態のＡＤＦ２４は、開閉軸８２と、開閉ガイド８１と、原稿搬送経路４０と、シート貼付板８５と、プラテンシート５１と、を備える。開閉ガイド８１は、開閉軸８２に近づく方向及び離れる方向にスライド可能なスライド部材８３を有するとともに、開閉軸８２を中心として回動することにより開閉可能である。原稿搬送経路４０は、原稿１００を搬送するための経路であって、開閉ガイド８１を開放させたときに露出する。シート貼付板８５は、シート固定面８５５を有する。プラテンシート５１は、可撓性を有しており、シート固定面８５５の開閉軸８２近傍及びスライド部材８３が有する取付面８３５に貼り付けられる。
【００７４】
これにより、原稿詰まりを解消するために開閉ガイド８１を開放させた場合において、プラテンシート５１がスライド部材８３とともにスライドするため、プラテンシート５１（特に、開閉軸８２の付近）に無理な力が掛かることをコンパクトな構成で防止できる。また、開閉ガイド８１を開放させたときに、プラテンシート５１が開閉ガイド８１及びシート貼付板８５に沿った状態を維持しながら撓むため、プラテンシート５１の内側に配置された搬送ローラ（例えば、プラテンシート５１の上側の共通ローラ３８）を駆動するためのギア等に埃等が混入することを防止できる。
【００７５】
また、本実施形態のＡＤＦ２４において、開閉ガイド８１は、規制ピン８１１を備える。また、スライド部材８３には、長孔８３１が形成される。そして、規制ピン８１１が長孔８３１に挿し込まれることにより、スライド部材８３のスライド範囲が規制される。
【００７６】
これにより、スライド部材８３が必要な範囲を超えてスライドすることを防止できるので、スライド部材８３及びプラテンシート５１に無理な力が掛かることを防止できる。従って、スライド部材８３及びプラテンシート５１が破損することを防止できる。
【００７７】
また、本実施形態のＡＤＦ２４において、開閉軸８２の軸方向で見たときに、開閉軸８２からプラテンシート５１に下ろした仮想垂線８８は、スライド部材８３のシート貼付板８５側の端部よりも、シート貼付板８５側である。
【００７８】
これにより、開閉ガイド８１の開閉によって、スライド部材８３とシート貼付板８５との間のプラテンシート５１が局所的に大きく変形することを防止できる。従って、プラテンシート５１が破損することを防止できる。
【００７９】
また、本実施形態のＡＤＦ２４は、原稿搬送経路４０を搬送される原稿１００を外部に排出可能な共通ローラ３８を備える。そして、開閉軸８２の回転軸線と、共通ローラ３８の回転軸線と、が同一である。
【００８０】
これにより、開閉ガイド８１と共通ローラ３８との回転軸を共通にできるため、部品点数を減らしてＡＤＦ２４を低コストにすることができる。
【００８１】
以上に本発明の好適な実施の形態を説明したが、上記の構成は例えば以下のように変更することができる。
【００８２】
上記実施形態では、取付面８３５とシート固定面８５５とが同一平面上に位置しているが、これらを同一平面上に位置させなくても良い。つまり、取付面８３５及びシート固定面８５５が位置する高さが異なっている場合は、この高さに対応するようにプラテンシート５１の厚みを部分的に異ならせることで、本発明の効果を発揮できる。また、取付面８３５及びシート固定面８５５のうち少なくとも一方の面が傾斜している場合においても、対応する形状のプラテンシート５１を用いることで、本発明の効果を発揮できる。ただし、プラテンシート５１のうち、ブック原稿等に接触する側の面はフラット（１つの平面）にする必要がある。
【００８３】
上記実施形態では、ガイド本体８６が規制ピン８１１を備え、スライド部材８３に長孔８３１が形成されているが、これに代えて、ガイド本体８６に長孔を形成し、スライド部材８３が規制ピンを備える構成にしても良い。
【００８４】
上記実施形態で用いた縮小光学系のスキャナユニット２５に代えて、密着型イメージセンサ等を使用する構成に変更することができる。
【００８５】
上記実施形態ではイメージスキャナ装置１１は複合機１の一部として備えられているが、この構成に代えて、単体のイメージスキャナ装置として構成することができる。
【符号の説明】
【００８６】
１  複合機
１１  イメージスキャナ装置（原稿読取装置）
２４  ＡＤＦ（自動原稿送り装置）
４０  原稿搬送経路
５１  プラテンシート（シート状部材）
８１  開閉ガイド（開閉部）
８２  開閉軸
８３  スライド部材
８５  シート貼付板（固定部）
８８  仮想垂線
８３５  取付面（スライド面）
８５５  シート固定面（固定面）
【図１】
2011225327.tif 000003
【図２】
2011225327.tif 000004
【図３】
2011225327.tif 000005
【図４】
2011225327.tif 000006
【図５】
2011225327.tif 000007
【図６】
2011225327.tif 000008
【図７】
2011225327.tif 000009
【図８】
2011225327.tif 000010